(57)【要約】【課題】複数回の撮影動作を要する画像処理機能の動作中でも、操作性を損なうことなく、ダイレクト操作部材の操作で画像データの記録に関する機能設定を行うことができる撮像装置を提供する。【解決手段】撮像装置は、撮影された画像データの記録に関する機能をユーザ操作により設定するためのダイレクトボタン１１５と、撮影された画像データをメモリ３０に記録する記録制御手段（ステップＳ４０３）と、複数回の撮影動作を要する画像処理機能の動作中（ステップＳ４０３〜ステップＳ４０５）にダイレクトボタン１１５が操作されたか否かを判断する判断手段（ステップＳ４０６）と、判断手段によりダイレクトボタン１１５が操作されたと判断された場合に、複数回の撮影動作によりメモリ３０に記録された複数の画像データに対して、ダイレクトボタン１１５の操作により設定された記録に関する機能の処理を実行する制御手段（ステップＳ４０７）と、を備える。【選択図】図４
2012124827.tif 000002
【特許請求の範囲】
【請求項１】
被写体を撮像し、電気信号に変換して画像データとして出力する撮像手段と、
前記撮像手段により出力された画像データの記録形式をユーザ操作により設定するためのダイレクト操作部材と、
前記撮像手段により出力された画像データと、当該画像データに撮像前に予め設定された第１の記録形式で画像処理を行った画像データとをメモリに記憶させるメモリ制御手段と、
複数回の撮影動作を要する画像処理機能の動作中に前記ダイレクト操作部材が操作されたか否かを判定する判定手段と、を有し、
前記メモリ制御手段は、前記判定手段により前記ダイレクト操作部材が操作されたと判定された場合には、前記メモリに記憶された前記複数回の撮影動作により前記撮像手段により出力された画像データに対して、前記ダイレクト操作部材の操作により設定された、前記第１の記録形式とは異なる第２の記録形式で画像処理を行った画像データを記録させることを特徴とする撮像装置。
【請求項２】
前記第１の記録形式とは、ＪＰＥＧ形式であり、前記第２の記録形式とは、ＲＡＷ形式であることを特徴とする請求項１に撮像装置。
【請求項３】
前記メモリの容量と前記画像データの処理に必要な前記メモリの容量とから撮影可能枚数を算出する算出手段と、
前記撮影可能枚数以下の範囲でユーザ操作により指示された撮影枚数を撮影回数として設定する設定手段と、を備えることを特徴とする請求項１又は２に記載の撮像装置。
【請求項４】
被写体を撮像し、電気信号に変換して画像データとして出力する撮像手段と、前記撮像手段により出力された画像データの記録形式をユーザ操作により設定するためのダイレクト操作部材と、を有する撮像装置の制御方法であって、
前記撮像手段により出力された画像データと、当該画像データに撮像前に予め設定された第１の記録形式で画像処理を行った画像データとをメモリに記憶させる第１の記憶ステップと、
複数回の撮影動作を要する画像処理機能の動作中に前記ダイレクト操作部材が操作されたか否かを判定する判定ステップと、
前記判定ステップで前記ダイレクト操作部材が操作されたと判定された場合には、前記メモリに記憶された前記複数回の撮影動作により前記撮像手段により出力された画像データに対して、前記ダイレクト操作部材の操作により設定された、前記第１の記録形式とは異なる第２の記録形式で画像処理を行った画像データを記憶させる第２の記憶ステップと、を有することを特徴とする撮像装置の制御方法。
【請求項５】
被写体を撮像し、電気信号に変換して画像データとして出力する撮像手段と、前記撮像手段により出力された画像データの記録形式をユーザ操作により設定するためのダイレクト操作部材と、を有する撮像装置を制御するプログラムであって、
前記撮像手段により出力された画像データと、当該画像データに撮像前に予め設定された第１の記録形式で画像処理を行った画像データとをメモリに記憶させる第１の記憶ステップと、
複数回の撮影動作を要する画像処理機能の動作中に前記ダイレクト操作部材が操作されたか否かを判定する判定ステップと、
前記判定ステップで前記ダイレクト操作部材が操作されたと判定された場合には、前記メモリに記憶された前記複数回の撮影動作により前記撮像手段により出力された画像データに対して、前記ダイレクト操作部材の操作により設定された、前記第１の記録形式とは異なる第２の記録形式で画像処理を行った画像データを記憶させる第２の記憶ステップと、をコンピュータに実行させることを特徴とするプログラム。
【発明の詳細な説明】
【技術分野】
【０００１】
本発明は、デジタルカメラ等の撮像装置、撮像装置の制御方法、及びプログラムに関する。
【背景技術】
【０００２】
従来、メニューボタン等を複数回操作することで、撮像した画像データの画像処理や記録画質に関する機能設定を行うことができる撮像装置が知られている。
【０００３】
また、ダイレクトボタンを一度操作することで、メニューボタン等の煩雑な操作を省略して、画像データの記録画質に関する機能設定を行うことが可能な撮像装置が開示されている（特許文献１）。
【先行技術文献】
【特許文献】
【０００４】
【特許文献１】特開２００８−７２２７０号公報
【発明の概要】
【発明が解決しようとする課題】
【０００５】
ところで、デジタルカメラ等の撮像装置においては、複数回の単写撮影動作を要する画像処理機能として、例えば、多重露光処理機能やＡＥＢ（オートエクスポージャーブラケット）処理機能がある。多重露光処理では、異なる露光条件での複数回撮影を行い、露光量の異なる複数枚の画像データを得た後に、その画像データを合成してダイナミックレンジの大きい画像データを生成する。また、ＡＥＢ処理では、自動的に露出を「＋」方向、または「−」方向に変更して撮影を行う。
【０００６】
しかし、上記特許文献１では、上述した複数回の単写撮影動作を要する多重露光処理機能やＡＥＢ処理機能等の動作中においては、操作性を損なうおそれがある。例えば、上記特許文献１では、３枚の撮影画像についての多重露光処理を行う際、２枚目の画像の撮影前にダイレクトボタンが操作されると、２枚目の画像にのみダイレクトボタンに設定された記録画質が適用される。従って、撮影後の閲覧や画像管理において、一連の多重露光処理中に撮影した画像にもかかわらず、撮影毎に記録画質が異なるため、多重露光処理中に撮影した画像を探すのが困難となってしまう。
【０００７】
また、一連の多重露光処理中にダイレクトボタンが操作された場合に、処理を途中で終了して、再度最初からダイレクトボタンに割り当てられた記録画質で撮影を行うことも考えられるが、勝手に処理を途中で終了してしまうことで、操作性が損なわれる。
【０００８】
そこで、本発明は、複数回の撮影動作を要する画像処理機能の動作中でも、操作性を損なうことなく、ダイレクト操作部材の操作で画像データの記録に関する機能設定を行うことができる仕組みを提供することを目的とする。
【課題を解決するための手段】
【０００９】
上記目的を達成するために、本発明の撮像装置は、被写体を撮像し、電気信号に変換して画像データとして出力する撮像手段と、前記撮像手段により出力された画像データの記録形式をユーザ操作により設定するためのダイレクト操作部材と、前記撮像手段により出力された画像データと、当該画像データに撮像前に予め設定された第１の記録形式で画像処理を行った画像データとをメモリに記憶させるメモリ制御手段と、複数回の撮影動作を要する画像処理機能の動作中に前記ダイレクト操作部材が操作されたか否かを判定する判定手段と、を有し、前記メモリ記録制御手段は、前記判定手段により前記ダイレクト操作部材が操作されたと判定された場合には、前記メモリに記憶された前記複数回の撮影動作により前記撮像手段により出力された画像データに対して、前記ダイレクト操作部材の操作により設定された、前記第１の記録形式とは異なる第２の記録形式で画像処理を行った画像データを記録させることを特徴とする。
【発明の効果】
【００１０】
本発明によれば、複数回の撮影動作を要する画像処理機能の動作中でも、操作性を損なうことなく、ダイレクト操作部材の操作で画像データの記録に関する機能設定を行うことができる。
【図面の簡単な説明】
【００１１】
【図１】本発明の撮像装置の第１の実施形態であるデジタルカメラを背面側から見た斜視図である。
【図２】図１に示すデジタルカメラの光軸方向に沿う断面図である。
【図３】図１に示すデジタルカメラの回路構成例を示すブロック図である。
【図４】多重露光処理時の動作を説明するためのフローチャート図である。
【図５】多重露光処理時におけるメモリのデータマップ図である。
【図６】ブラケット処理時の動作を説明するためのフローチャート図である。
【図７】ブラケット処理時におけるメモリのデータマップ図である。
【図８】本発明の撮像装置の第２の実施形態であるデジタルカメラにおいて、多重露光処理時の撮影回数の設定処理を説明するためのフローチャート図である。
【図９】メモリの記録領域を模式的に示す図である。
【図１０】図８のステップＳ５０３で設定された撮影回数に基づき多重露光処理を行う場合の動作について説明するためのフローチャート図である。
【発明を実施するための形態】
【００１２】
以下、本発明の実施形態を図面を参照して説明する。
【００１３】
（第１の実施形態）
図１は本発明の撮像装置の第１の実施形態であるデジタルカメラを背面側から見た斜視図、図２は図１に示すデジタルカメラの光軸方向に沿う断面図である。
【００１４】
本実施形態のデジタルカメラは、図１に示すように、カメラ本体１００の上面部に、アクセサリシュー１４１、光学ファインダ１０４、ＡＥロックボタン１１２、測距点選択ボタン１１３、レリーズボタン１１４、及びダイレクトボタン１１５が設けられている。ダイレクトボタン１１５は、本発明のダイレクト操作部材の一例に相当する。
【００１５】
また、カメラ本体１００の上面部には、電子ダイヤル４１１、モードダイアル６０、及び外部表示装置４０９が設けられている。電子ダイヤル４１１は、他の操作ボタンと併用してカメラに数値を入力したり、撮影モードを切り換えたりするための多機能信号入力装置である。また、外部表示装置４０９は、シャッタースピード、絞り、撮影モードなどの撮影条件や、他の情報を表示する。
【００１６】
カメラ本体１００の背面部には、撮影画像や各種設定画面等を表示するＬＣＤモニタ装置４１７、ＬＣＤモニタ装置４１７に撮影画像を表示する再生スイッチ６６、単写／連写スイッチ６８、及び十字配置スイッチ１１６が設けられている。また、カメラ本体１００の背面部には、ＳＥＴボタン１１７、メニューボタン１２４、及び電源スイッチ７２が設けられている。
【００１７】
十字配置スイッチ１１６は、上下左右に配置された４つのボタンを有し、ユーザがＬＣＤモニタ装置４１７に表示されるメニュー項目などの選択するために用いられる。メニューボタン１２４は、ＬＣＤモニタ装置４１７にカメラの各種設定を行うためのメニュー画面を表示させるためのボタンである。例えば、撮影モードを選択、設定する場合、メニューボタン１２４を押した後、十字配置スイッチ１１６の上下左右のボタンを操作して所望のモードを選択し、ＳＥＴボタン１１７を押すことにより設定が完了する。
【００１８】
メニューボタン１２４、十字配置スイッチ１１６及びＳＥＴボタン１１７により、撮像画像データの画像処理または記録画質に関連する機能設定が行われ、例えば、記録形式（ＪＰＥＧ、ＲＡＷ）、記録サイズ、圧縮率などがユーザによって設定される。また、ダイレクトボタン１１５に対する機能設定、例えば多重露光処理やＡＥＢ処理等の画像処理機能の設定に関しても、メニューボタン１２４、十字配置スイッチ１１６、及びＳＥＴボタン１１７で行う。
【００１９】
なお、本実施形態では、ＬＣＤモニタ装置４１７は、透過型であるため、ＬＣＤモニタ装置４１７の背面に、図２に示すように、バックライト照明装置４１６が配置される。本実施形態では、ＬＣＤモニタ装置４１７とバックライト照明装置４１６により図３に示す画像表示部２８を構成している。
【００２０】
図２に示すように、カメラ本体１００には、レンズマウント３０６を介してレンズユニット３００が着脱可能に装着される。レンズユニット３００には、撮像レンズ群３１０及び絞り３１２が設けられている。
【００２１】
また、カメラ本体１００には、ミラー１３０が設けられている。ミラー１３０は、回動動作により、ファインダ観察時に、撮影光路内に進入するミラーダウン状態（図２）となり、撮影時に、撮影光路から退避するミラーアップ状態になる。ミラー１３０のミラーダウン状態では、レンズユニット３００を通過して撮影光路に進入した被写体の光束は、ミラー１３０で上方に反射される。ミラー１３０で上方に反射した被写体の光束は、ピント板２０４及びコンデンサレンズ２０５で結像した後、ペンタプリズム１３２を通って接眼レンズ２０８及び光学ファインダ１０４に導かれる。
【００２２】
一方、ミラー１３０のミラーアップ状態では、レンズユニット３００を通過して撮影光路に進入した被写体の光束は、シャッター１２（図３）を構成する先幕２０９及び後幕２１０を通過した後、ローパスフィルタ４１８を介して撮像素子１４に結像する。撮像素子１４に結像した画像は、ＬＣＤモニタ装置４１７に表示されるとともに、記録媒体２００に画像データとして記録される。
【００２３】
撮像素子１４は、被写体を撮像し、電気信号に変換して画像データとして出力する。撮像素子１４は、プリント基板２１１に保持されており、プリント基板２１１の背面側には、表示基板２１５が配置されている。そして、表示基板２１５の背面側に、画像表示部２８を構成するバックライト照明装置４１６及びＬＣＤモニタ装置４１７が配置されている。
【００２４】
図３は、本実施形態のデジタルカメラの回路構成例を示すブロック図である。
【００２５】
まず、レンズユニット３００について説明すると、カメラ本体１００のレンズマウント１０６に結合されるレンズマウント３０６内には、レンズユニット３００をカメラ本体１００と電気的に接続する各種機能が含まれている。Ｉ／Ｆ３２０は、レンズマウント３０６において、レンズユニット３００をカメラ本体１００と接続するためのインターフェースである。コネクタ３２２は、レンズユニット３００をカメラ本体１００と電気的に接続するためのコネクタである。
【００２６】
コネクタ３２２は、カメラ本体１００とレンズユニット３００との間で制御信号、状態信号、データ信号などをやり取りすると共に、各種電圧の電流を供給される機能、あるいは供給する機能も備えている。
【００２７】
絞り制御部３４０は、測光制御部４６からの測光情報に基づいて、カメラ本体１００のシャッター１２を制御するシャッター制御部４０と連携しながら、絞り３１２を制御する。フォーカス制御部３４２は、撮像レンズ群３１０のフォーカシングを制御し、ズーム制御部３４４は、撮像レンズ群３１０のズーミングを制御する。
【００２８】
レンズシステム制御回路３５０は、レンズユニット３００全体を制御する。レンズシステム制御回路３５０は、動作用の定数、変数、プログラムなどを記憶するメモリを備えている。また、レンズシステム制御回路３５０は、レンズユニット３００の固有番号などの識別情報、管理情報、開放絞り値や最小絞り値、焦点距離などの機能情報、現在や過去の各設定値などを保持する不揮発メモリも備えている。
【００２９】
次に、カメラ本体１００について説明すると、Ａ／Ｄ変換器１６は、撮像素子１４から出力されるアナログ信号をデジタル信号に変換する。タイミング発生回路１８は、メモリ制御回路２２及びシステム制御回路５０により制御され、撮像素子１４、Ａ／Ｄ変換器１６、Ｄ／Ａ変換器２６にそれぞれクロック信号や制御信号を供給する。
【００３０】
画像処理回路２０は、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。更に、画像処理回路２０は、得られた演算結果に基づいてシステム制御回路５０がシャッター制御部４０、焦点調節部４２を制御するための、ＴＴＬ（スルーザレンズ）方式のＡＦ処理、ＡＥ処理、フラッシュプリ発光（ＥＦ）処理を行うことができる。更に、画像処理回路２０は、Ａ／Ｄ変換器１６から出力される画像データを用いて所定の演算処理を行う。
【００３１】
具体的には、Ｒ、Ｇ、Ｂのレイヤーを生成する補間処理、ホワイトバランス処理、ガンマ処理を順に行い、さらにＲＧＢ色空間からＹＵＶ色空間に変換するいわゆる現像処理を行う。さらに現像処理後の画像データに対してもエッジ強調など所定の処理を行う。
【００３２】
本実施形態では、撮影された画像データの記録形式として、ＲＡＷ形式とＪＰＥG形式を用いるが、ＲＡＷ形式とは前述した画像処理の中で、現像処理までは行わず、ＲＧＢのまま例えば可逆の圧縮処理を行い記録する形式である。ＪＰＥＧ形式とは、現像処理、さらにその後の所定の処理を終えた画像データを規格に準拠した圧縮方式で圧縮処理したものである。なお、ＲＡＷ形式は本実施形態での定義に限らず、ＪＰＥＧ形式よりも画像としての情報を多く有した形式であればさまざまな定義づけが可能である。また、ホワイトバランス処理では、オートの場合、ＴＴＬ方式のオートホワイトバランス（ＡＷＢ）処理を行っている。
【００３３】
なお、本実施形態では、焦点調節部４２及び測光制御部４６を専用に備えている。従って、焦点調節部４２及び測光制御部４６を用いてＡＦ処理、ＡＥ処理、ＥＦ処理の各処理を行い、画像処理回路２０を用いたＡＦ処理、ＡＥ処理、ＥＦ処理の各処理を行わないようにしても構わない。また、焦点調節部４２及び測光制御部４６を用いてＡＦ処理、ＡＥ処理、ＥＦ処理の各処理を行い、さらに、画像処理回路２０を用いたＡＦ処理、ＡＥ処理、ＥＦ処理の各処理を行うようにしてもよい。
【００３４】
ダイレクト操作部２１は、ダイレクトボタン１１５が押下された場合、システム制御回路５０に通知し、システム制御回路５０は、予め設定されている機能に従って、画像データを処理する。
【００３５】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００３６】
画像表示メモリ２４に書き込まれた表示用の画像データは、Ｄ／Ａ変換器２６を介して画像表示部２８により表示される。画像表示部２８を用いて、撮像した画像データを逐次表示することで、電子ビューファインダ（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を低減することができる。
【００３７】
メモリ３０は、撮影した静止画像を格納するためのであり、所定枚数の静止画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。
【００３８】
圧縮・伸長回路３２は、メモリ３０に格納された画像を読み込んで圧縮処理或いは伸長処理を行い、処理を終えたデータを再びメモリ３０に書き込む。シャッター制御部４０は、測光制御部４６からの測光情報に基づいて絞り３１２を制御する絞り制御部３４０と連携しながらシャッター１２を制御する。焦点調節部４２は、ＡＦ処理を行うもので、レンズユニット３００、ミラー１３０及び焦点調節用サブミラー（不図示）を介して入射して、光学像として結像された画像の合焦状態を測定する。
【００３９】
測光制御部４６は、ＡＥ処理を行うもので、レンズユニット３００、ミラー１３０及び測光用サブミラー（不図示）を介して入射して、光学像として結像された画像の露出状態を測定する。フラッシュ４８は、ＡＦ補助光の投光機能、フラッシュ調光機能も有する。測光制御部４６は、フラッシュ４８と連携することにより、ＥＦ（フラッシュ調光）処理機能も有する。
【００４０】
また、焦点調節部４２による測定結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００４１】
システム制御回路５０は、ＣＰＵなどを内蔵し、カメラ本体１００全体を制御する。また、システム制御回路５０は、現像制御回路５１を有し、現像制御回路５１は、ダイレクト操作部２１によりダイレクトボタン１１５が押下されたことが通知されると、メモリ３０に記録されている画像データを所望の記録画質で記録媒体２００に記録する。メモリ５２は、システム制御回路５０の動作用の定数、変数、プログラム等を記憶する。
【００４２】
通知部５４は、システム制御回路５０でのプログラムの実行に応じて、文字、画像、音声などを用いて動作状態やメッセージなどを外部に通知する。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、例えば外部表示装置４０９のようにカメラ本体１００の操作部７０近辺で、視認しやすい、単数あるいは複数箇所に設置されている。また、通知部５４は、その一部の機能が光学ファインダ１０４内に設置されている。
【００４３】
通知部５４の表示内容のうち、画像表示部２８に表示するものとしては、例えば次に示すものがある。まず、単写／連写撮影表示、セルフタイマー表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他、マクロ撮影表示、ブザー設定表示、電池残量表示、エラー表示、複数桁の数字による情報表示、記録媒体２００等の着脱状態表示がある。更に、レンズユニット３００の着脱状態表示、通信Ｉ／Ｆ動作表示、日付・時刻表示、外部コンピュータとの接続状態を示す表示等がある。
【００４４】
また、通知部５４の表示内容のうち、光学ファインダ１０４内に表示するものとしては、例えば、次に示すものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等がある。
【００４５】
不揮発性メモリ５６は、プログラムなどが格納された電気的に消去・記録可能な例えばＥＥＰＲＯＭ等が用いられる。
【００４６】
モードダイアル６０は、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。また、モードダイアル６０は、ポートレート撮影モード、風景撮影モード、接写撮影モード、スポーツ撮影モード、夜景撮影モード、パノラマ撮影モード、動画撮影モードなどの各機能撮影モードを切り替え設定することもできる。
【００４７】
シャッタースイッチ（ＳＷ１）６２は、レリーズボタン１１４の操作途中（例えば半押し）でＯＮとなり、ＡＦ処理、ＡＥ処理、ＡＷＢ処理、ＥＦ処理等の動作開始を指示する。シャッタースイッチ（ＳＷ２）６４は、レリーズボタン１１４の操作完了（例えば全押し）でＯＮとなり、露光処理、現像処理、圧縮伸長処理、及び記録処理からなる一連の処理の静止画撮影動作開始を指示する。
【００４８】
まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。また、圧縮伸長処理では、メモリ３０から画像データを読み出し、圧縮・伸張回路３２で圧縮を行い、記録処理によってメモリ３０から記録媒体２００あるいはＰＣ２３０に画像データを書き込むか、または送信する。
【００４９】
再生スイッチ６６は、撮影モード状態で撮影した画像をメモリ３０、記録媒体２００、又はＰＣ２３０から読み出して画像表示部２８に表示する再生動作の開始を指示する。
【００５０】
単写／連写スイッチ６８は、シャッタースイッチ（ＳＷ２）６４がＯＮの場合に、１コマの撮影を行って待機状態とする単写モードと、シャッタースイッチ（ＳＷ２）６４がＯＮの間、連続して撮影を行い続ける連写モードとを設定することができる。
【００５１】
操作部７０は、ライブビュー開始／停止ボタン、動画記録開始／停止ボタン、メニューボタン１２４、ＳＥＴボタン１１７、マルチ画面再生改ページボタン、フラッシュ設定ボタン、単写／連写／セルフタイマー切り換えボタンを含む。また、操作部７０は、十字配置スイッチ１１６、ＡＥロックボタン１１２、測距点選択ボタン１１３、電子ダイヤル４１１を含む。更に、操作部７０は、再生画像移動＋（プラス）ボタン、再生画像移動−（マイナス）ボタン、記録画質選択ボタン、露出補正ボタン、調光補正ボタン、外部フラッシュ発光量設定ボタン、日付／時間設定ボタンなども含む。
【００５２】
更に、操作部７０は、再生モード、マルチ画面再生・消去モード、ＰＣ接続モード等の各機能モードを設定することができるスイッチを含む。また、操作部７０は、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを含む。
【００５３】
また、操作部７０は、ＪＰＥＧ圧縮の圧縮率を選択するため、あるいは撮像素子の信号をそのままデジタル化して記録媒体２００に記録するＲＡＷモードを選択するためのスイッチである圧縮モードスイッチを含む。また、操作部７０は、ワンショットＡＦモードとサーボＡＦモードとを設定可能なＡＦモード設定スイッチなどを含む。ワンショットＡＦモードでは、シャッタースイッチ（ＳＷ１）６２をＯＮした際にオートフォーカス動作を開始し、一旦合焦した場合、その合焦状態を保ち続ける。サーボＡＦモードでは、シャッタースイッチ（ＳＷ１）６２がＯＮの間、連続してオートフォーカス動作を続ける。
【００５４】
電源スイッチ７２は、カメラ本体１００の電源オン、電源オフの各モードを切り替え設定することができる。また、電源スイッチ７２は、カメラ本体１００に接続されたレンズユニット３００、外部フラッシュ装置１４２、記録媒体２００、ＰＣ２３０等の各種付属装置の電源オン、電源オフの設定も合わせて切り替え設定可能である。
【００５５】
電源制御部８０は、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体２００を含む各部へ供給する。
【００５６】
電源部８６は、アルカリ電池やリチウム電池等の一次電池やＮｉＣｄ電池やＮｉＭＨ電池、Ｌｉ‐ｉｏｎ電池、Ｌｉポリマー電池等の二次電池、ＡＣアダプタ等からなり、コネクタ８２，８４を介してカメラ本体１００に着脱可能に装着される。
【００５７】
Ｉ／Ｆ９０は、記録媒体２００とのインターフェース、Ｉ／Ｆ９４は、ＰＣ２３０とのインターフェース、Ｉ／Ｆ９５は、外部モニタ２２０とのインターフェースである。記録媒体２００は、コネクタ９２，２０６を介してカメラ本体１００に着脱可能に装着され、ＰＣ２３０は、コネクタ９６，２１６を介してカメラ本体１００に着脱可能に装着される。また、外部モニタ２２０は、コネクタ９７，２２６を介してカメラ本体１００に着脱可能に装着される。コネクタ着脱検知回路９８は、コネクタ９２，９６，９７にそれぞれ記録媒体２００，ＰＣ２３０，外部モニタ２２０が接続されているか否かを検知する。なお、コネクタ９２，９６には、記録媒体２００及びＰＣ２３０のいずれも接続することが可能とされている。
【００５８】
インターフェース及びコネクタとしては、種々の記憶媒体の規格に準拠したものを用いて構成することが可能である。例えば、ＰＣＭＣＩＡやＳＤカード等である。インターフェース９０，９４、コネクタ９２，９６をＰＣＭＣＩＡカード等の規格に準拠したものを用いて構成した場合、各種通信カードを接続することができる。通信カードとしては、ＬＡＮカードやモデムカード、ＵＳＢカード、ＩＥＥＥ１３９４カードがある。他にも、Ｐ１２８４カード、ＳＣＳＩカード、ＰＨＳ等がある。これら各種通信カードを接続することにより、他のコンピュータやプリンタ等の周辺機器との間で画像データや画像データに付属した管理情報を転送し合うことができる。また、外部モニタ２２０とのインターフェース及びコネクタとしては、アナログ信号およびデジタル信号の伝送が可能な構成にすることができる。例えば、ビデオ出力端子やＨＤＭＩ接続端子等である。
【００５９】
外部フラッシュ装置１４２は、アクセサリシュー１４１を介してカメラ本体１００に着脱可能に装着される。Ｉ／Ｆ１２０は、レンズユニット３００をカメラ本体１００に接続するためのインターフェースである。
【００６０】
コネクタ１２２は、カメラ本体１００とレンズユニット３００との間で制御信号、状態信号、データ信号などをやり取りすると共に、各種電圧の電流を供給する機能も備えている。コネクタ１２２を介して通信される、各種光学情報（絞り、ズーム位置、瞳距離、焦点距離など）は、カメラ本体１００のメモリ３０に記憶される。通信の要求は、カメラ本体１００側から行う場合もあれば、レンズユニット３００側から情報の更新ごとに行う場合もある。
【００６１】
記録媒体２００は、半導体メモリや磁気ディスク等から構成される記録部２０２、カメラ本体１００とのインターフェース２０７、カメラ本体１００と接続を行うコネクタ２０６を備えている。ＰＣ２３０は、磁気ディスク（ＨＤ）等から構成される記録部２１２、カメラ本体１００とのインターフェース２１４、カメラ本体１００と接続を行うコネクタ２１６を備えている。
【００６２】
次に、図４及び図５を参照して、複数回の撮影動作を要する多重露光処理機能の動作中にダイレクトボタン１１５が押下されたときの処理について説明する。なお、本実施形態では、３枚の画像データを撮影する多重露光処理中にダイレクトボタン１１５が押下された場合について説明する。
【００６３】
図４は、多重露光処理時の動作を説明するためのフローチャート図である。図４での各処理は、ＲＯＭ等に記憶されたプログラムがＲＡＭにロードされて、システム制御回路５０のＣＰＵ等により実行される。図５は、多重露光処理時におけるメモリ３０のデータマップ図である。なお、すでにメニュー画面で設定されている記録画質はＪＰＥＧ形式とし、ダイレクトボタン１１５に割り当てられている記録画質はＲＡＷ形式とする。ここで、ＪＰＥＧ形式は、本発明の第１の記録形式の一例に相当し、ＲＡＷ形式は、本発明の第２の記録形式の一例に相当する。
【００６４】
図４において、ステップＳ４０１では、システム制御回路５０は、多重露光処理における現在の撮影回数が設定回数（ここでは３回）に達しているか否かを判定する。そして、システム制御回路５０は、撮影回数が設定回数に達していれば、ステップＳ４０６へ進み、撮影回数が設定回数に達していなければ、撮影動作を継続するためにステップＳ４０２へ進む。
【００６５】
ステップＳ４０２では、システム制御回路５０は、シャッタースイッチ（ＳＷ２）６４がＯＮされたかどうかを判断し、シャッタースイッチ（ＳＷ２）６４がＯＮされると、ステップＳ４０３へ進む。
【００６６】
ステップＳ４０３では、システム制御回路５０は、上述した露光処理を行い、露光された画像データ５０１（図５）をメモリ制御回路２２を介してメモリ３０に書き込み、ステップＳ４０４に進む。
【００６７】
ステップＳ４０４では、システム制御回路５０は、メモリ３０に書き込まれた画像データ５０１に対して撮像前にメニュー画面で設定されたＪＰＥＧ形式で現像処理・圧縮伸長処理を行い、ＪＰＥＧデータ５０２としてメモリ３０に記憶し、ステップＳ４０５に進む。ここでの処理は、本発明の第１の記憶ステップの一例に相当する。なお、この時点では、図５に示すように、メモリ３０の領域５１１には、ステップＳ４０３での露光処理により得られた画像データ５０１と、ステップＳ４０４で得られたＪＰＥＧデータ５０２とが記録されている。
【００６８】
ステップＳ４０５では、システム制御回路５０は、画像データを用いて多重露光処理、即ち、異なる露出で撮影された画像データの合成処理を行い、ステップＳ４０１に戻る。そして、ステップＳ４０１からステップＳ４０５の処理を、設定した回数分繰り返すことで、所望の多重露光処理を実現する。
【００６９】
３回の多重露光処理を繰り返した後においては、図５に示すように、メモリ３０の領域５１３には、画像データ５０１，５０３，５０５と、ＪＰＥＧデータ５０２，５０４，５０６と、多重露光処理により合成された画像ファイル５１０とが記録される。
【００７０】
一方、ステップＳ４０６では、システム制御回路５０は、多重露光処理中にダイレクト操作部２１からダイレクトボタン１１５が押下された旨の通知があったか否かを判定し、通知があった場合は、ステップＳ４０７に進む。また、システム制御回路５０は、多重露光処理中にダイレクト操作部２１からダイレクトボタン１１５が押下された旨の通知がなかった場合は、ステップＳ４０８に進む。
【００７１】
ステップＳ４０８では、システム制御回路５０は、メモリ３０に記録されたＪＰＥＧデータ５０２，５０４，５０６、及び画像ファイル５１０を記録媒体２００に記録して、処理を終了する。
【００７２】
ステップＳ４０７では、システム制御回路５０は、現像制御回路５１により、メモリ３０に記録された３枚分の画像データ５０１，５０３，５０５に対してそれぞれ上述した現像処理・圧縮伸長処理を行い、ステップＳ４０８に進む。ここで、ダイレクトボタン１１５に割り当てられている記録画質は、ＲＡＷ形式であるため、３回撮影分の画像データ５０１，５０３，５０５は、現像処理までは行われず、圧縮伸長回路３２によってＲＡＷ形式の圧縮処理が行われる。そしてＲＡＷデータ５０７，５０８，５０９として、メモリ３０の領域５１４（図５）に記憶される。ここでの処理は、本発明の第２の記憶ステップの一例に相当する。
【００７３】
ステップＳ４０８では、システム制御回路５０は、メモリ３０に記録されているＪＰＥＧデータ５０２，５０４，５０６と、ＲＡＷデータ５０７，５０８，５０９と、画像ファイル５１０を記録媒体２００に書き込み、処理を終了する。なお、ＪＰＥＧデータ５０２，５０４，５０６に関しては、ステップＳ４０５の前後で記録媒体２００に書き込んでもよい。また、ＲＡＷデータ５０７，５０８，５０９に関しても、ステップＳ４０８においてＲＡＷ形式でメモリ３０に一旦記録することなく、記録媒体２００に逐次書き込んでもよい。
【００７４】
次に、図６及び図７を参照して、上述したＡＥＢ処理などの撮影条件を変更させながら複数枚の画像を撮影するブラケット処理の場合について説明する。
【００７５】
図６は、ブラケット処理時の動作を説明するためのフローチャート図である。図６での各処理は、ＲＯＭ等に記憶されたプログラムがＲＡＭにロードされて、システム制御回路５０のＣＰＵ等により実行される。図７は、ブラケット処理時におけるメモリ３０のデータマップ図である。なお、すでにメニュー画面で設定されている記録画質はＪＰＥＧ形式とし、ダイレクトボタン１１５に割り当てられている記録画質はＲＡＷ形式とする。
【００７６】
図６において、ステップＳ４２１では、システム制御回路５０は、ブラケット処理における現在の撮影回数が設定回数（ここでは３回）に達しているか否かを判断する。そして、システム制御回路５０は、撮影回数が設定回数に達していれば、ステップＳ４２５へ進み、撮影回数が設定回数に達していなければ、撮影動作を継続するためにステップＳ４２２へ進む。
【００７７】
ステップＳ４２２では、システム制御回路５０は、シャッタースイッチ（ＳＷ２）６４がＯＮされたかどうかを判断し、シャッタースイッチ（ＳＷ２）６４がＯＮされると、ステップＳ４２３へ進む。
【００７８】
ステップＳ４２３では、システム制御回路５０は、上述した露光処理を行い、露光された画像データ６０１（図７）をメモリ制御回路２２を介してメモリ３０に書き込み、ステップＳ４２４に進む。
【００７９】
ステップＳ４２４では、システム制御回路５０は、メモリ３０に書き込まれた画像データ６０１に対してメニュー画面で設定されているＪＰＥＧ形式で現像処理・圧縮伸長処理を行い、ＪＰＥＧデータ６０２としてメモリ３０に記録して、ステップＳ４２１に戻る。なお、この時点では、図７に示すように、メモリ３０の領域６１１には、ステップＳ４０３での露光処理により得られた画像データ６０１と、ステップＳ４２４で得られたＪＰＥＧデータ６０２とが記録されている。
【００８０】
そして、ステップＳ４２１からステップＳ４２４の処理を、設定した撮影回数分繰り返すことで、所望のブラケット処理を実現する。３回のブラケット処理を繰り返した後においては、図７に示すように、メモリ３０の領域６１３には、画像データ６０１，６０３，６０５と、ＪＰＥＧデータ６０２，６０４，６０６とが記録される。
【００８１】
一方、ステップＳ４２５では、システム制御回路５０は、ブラケット処理中にダイレクト操作部２１からダイレクトボタン１１５が押下された旨の通知があったか否かを判断し、通知があった場合は、ステップＳ４２６に進む。また、システム制御回路５０は、ブラケット処理中にダイレクト操作部２１からダイレクトボタン１１５が押下された旨の通知がなかった場合は、ステップＳ４２７に進む。
【００８２】
ステップＳ４２７では、システム制御回路５０は、メモリ３０に記録されたＪＰＥＧデータ６０２，６０４，６０６を記録媒体２００に記録して、処理を終了する。
【００８３】
ステップＳ４２６では、システム制御回路５０は、現像制御回路５１により、メモリ３０に記録された３回撮影分の画像データ６０１，６０３，６０５に対してそれぞれ上述した現像処理・圧縮伸長処理を行い、ステップＳ４２７に進む。ここで、ダイレクトボタン１１５に割り当てられている記録画質は、ＲＡＷ形式であるため、画像データ６０１，６０３，６０５は、現像処理までは行われず、圧縮伸長回路３２によってＲＡＷ形式の圧縮処理が行われる。そしてＲＡＷデータ６０７，６０８，６０９として、メモリ３０の領域６１４（図７）に記録される。
【００８４】
ステップＳ４２７では、システム制御回路５０は、メモリ３０に記録されているＪＰＥＧデータ６０２，６０４，６０６と、ＲＡＷデータ６０７，６０８，６０９とを記録媒体２００に書き込み、処理を終了する。
【００８５】
以上説明したように、本実施形態では、複数回の撮影動作で一つの画像処理機能を実現する多重露光処理やブラケット処理の処理中は、撮影された画像データをメモリ３０に保持する。そして、処理終了後にダイレクトボタン１１５の押下の有無によってメモリ３０に記録されている複数の画像データをダイレクトボタン１１５に割り当てられた記録画質で記録する。これにより、複数回の撮影動作を要する画像処理機能の動作中でも、操作性を損なうことなく、ダイレクトボタン１１５の操作で画像データの記録画質に関する機能設定を行うことができる。
【００８６】
なお、本実施形態では、メニュー画面での記録画質の設定をＪＰＥＧ形式とし、ダイレクトボタン１１５に割り当てられた記録画質をＲＡＷ形式としたが、記録画質の形式は、特に限定されない。
【００８７】
また、ダイレクトボタン１１５に割り当てられた記録に関する機能として、記録画質に関する機能を例示したが、これに限定されず、例えばホワイトバランスの補正などの画像処理機能を割り当てても良い。
【００８８】
（第２の実施形態）
次に、図８〜図１０を参照して、本発明の撮像装置の第２の実施形態であるデジタルカメラについて説明する。なお、上記第１の実施形態に対して重複又は相当する部分については、図及び符号を流用して説明する。
【００８９】
本実施形態では、多重露光処理を開始する前に、メモリ３０の容量と、ＲＡＷデータのサイズ及びＪＰＥＧデータのサイズを用いて、メモリ３０に何枚分の画像データが記録できるかを算出し、多重露光処理時の撮影回数を設定する。
【００９０】
図８は多重露光処理時の撮影回数の設定処理を説明するためのフローチャート図、図９はメモリ３０の記録領域を模式的に示す図である。
【００９１】
図８において、ステップＳ５０１では、システム制御回路５０は、ＲＡＷデータの現像までの画像処理と圧縮処理、ＪＰＥＧデータの現像、圧縮を含めた画像処理、及び多重露光処理を行う上で、一時的に使用するメモリ３０のワーク領域の容量を算出し、ステップＳ５０２に進む。
【００９２】
ここでは、ＲＡＷデータとＪＰＥＧデータの処理を一つのメモリ領域で順次行うものとする。まず、現像圧縮処理において必要なメモリ容量としては、ＲＡＷデータを一つ作成するのに必要なメモリサイズと、ＪＰＥＧデータを一つ作成するのに必要なメモリサイズとを比較し、大きい方のサイズを図９の現像ワーク領域７０２のサイズとする。そして、現像ワーク領域７０２のサイズに多重露光処理の合成データをメモリ３０に記録する多重露光ワーク領域７０３のサイズを合計したものを、ワーク領域のサイズとする。
【００９３】
図９より、ＲＡＷデータを一つ作成するのに必要なメモリサイズを１０［ＭＢ］、ＪＰＥＧデータを一つ作成するのに必要なメモリサイズを５［ＭＢ］とすると、現像ワーク領域７０２のサイズは１０［ＭＢ］となる。従って、多重露光ワーク領域７０３のサイズを５［ＭＢ］とすると、ワーク領域サイズ（容量）は１５［ＭＢ］となる。
【００９４】
なお、例えば、ＲＡＷデータを一つ作成するのに必要なメモリサイズやＪＰＥＧデータを一つ作成するのに必要なメモリサイズは、あらかじめ撮影条件などを加味した最大予測サイズがそれぞれメモリ５２に記録されているものとするが、これに限定されない。また、ワーク領域サイズの求め方も、これに限らず、露光処理後に行う処理で必要なサイズ分が空き容量として確保されていれば良い。
【００９５】
ステップＳ５０２では、システム制御回路５０は、撮影回数制御回路５３により、メモリ３０の容量６４［ＭＢ］からステップＳ５０１で求めたワーク領域サイズ１５［ＭＢ］を除いたサイズ４９［ＭＢ］を求める。そして、システム制御回路５０は、撮影回数制御回路５３により、求めたサイズ４９［ＭＢ］を露光処理で得る一つの画像データのサイズ１０［ＭＢ／枚］で割ることで撮影可能枚数を算出し、ステップＳ５０３に進む。ここでは、図９より、（６４［ＭＢ］−１５［ＭＢ］）／１０［ＭＢ／枚］＝４．９≒４［枚］となり、撮影可能枚数は４枚となる。
【００９６】
ステップＳ５０３では、システム制御回路５０は、ステップＳ５０２で求めた撮影可能枚数以下の範囲（４枚以下の範囲）で十字配置スイッチ１１６等のユーザ操作により指示された撮影枚数を多重露光処理時の撮影回数として設定し、処理を終了する。
【００９７】
次に、図１０を参照して、図８のステップＳ５０３で設定された撮影回数に基づき多重露光処理を行う場合の動作について説明する。なお、すでにメニュー画面で設定されている記録画質はＪＰＥＧ形式とし、ダイレクトボタン１１５に割り当てられている記録画質はＲＡＷ形式とする。
【００９８】
ステップＳ６０１では、システム制御回路５０は、多重露光処理における現在の撮影回数が設定された撮影回数（ここでは４回）に達しているか否かを判断する。そして、システム制御回路５０は、撮影回数が設定された撮影回数に達していれば、ステップＳ６０５へ進み、撮影回数が設定された撮影回数に達していなければ、撮影動作を継続するためにステップＳ６０２へ進む。
【００９９】
ステップＳ６０２では、システム制御回路５０は、シャッタースイッチ（ＳＷ２）６４がＯＮされたかどうかを判断し、シャッタースイッチ（ＳＷ２）６４がＯＮされると、ステップＳ６０３へ進む。
【０１００】
ステップＳ６０３では、システム制御回路５０は、上述した露光処理を行い、露光された画像データ７０１（図９）をメモリ制御回路２２を介してメモリ３０に書き込み、ステップＳ６０４に進む。
【０１０１】
ステップＳ６０４では、システム制御回路５０は、画像データを用いて多重露光処理、即ち、異なる露出で撮影された画像データの合成処理を行い、メモリ制御回路２２を介してメモリ３０に記録して、ステップＳ６０１に戻る。そして、ステップＳ６０１からステップＳ６０４の処理を、設定した撮影回数分繰り返すことで、所望の多重露光処理を実現する。
【０１０２】
４回の多重露光処理を繰り返した後においては、図９に示すように、メモリ３０には、４枚の画像データ７０１、現像圧縮・伸張処理に必要な現像ワーク領域７０２、及び多重露光処理の合成データが記録された多重露光ワーク領域７０３が存在する。
【０１０３】
一方、ステップＳ６０５では、システム制御回路５０は、メモリ３０に記録された４枚の画像データ７０１に対してそれぞれＪＰＥＧ形式で現像圧縮・伸張処理を行い、ＪＰＥＧデータとして現像ワーク領域７０２に記録し、ステップＳ６０６に進む。
【０１０４】
ステップＳ６０６では、システム制御回路５０は、ステップＳ６０５でメモリ３０の現像ワーク領域７０２に記録されたＪＰＥＧデータを記録媒体２００に書き込み、ステップＳ６０７に進む。
【０１０５】
ステップＳ６０７では、システム制御回路５０は、多重露光処理中にダイレクト操作部２１からダイレクトボタン１１５が押下された旨の通知があったか否かを判断し、通知があった場合は、ステップＳ６０８に進む。また、システム制御回路５０は、多重露光処理中にダイレクト操作部２１からダイレクトボタン１１５が押下された旨の通知がなかった場合は、ステップＳ６１０に進む。
【０１０６】
ステップＳ６１０では、システム制御回路５０は、メモリ３０に記録されたＪＰＥＧデータ、及び多重露光処理の合成データを記録媒体２００に記録して、処理を終了する。
【０１０７】
ステップＳ６０８では、システム制御回路５０は、メモリ３０に記録された４枚のＪＰＥＧデータに対してそれぞれダイレクトボタン１１５に割り当てられているＲＡＷ形式で画像処理を行って現像ワーク領域７０２に記録し、ステップＳ６０９に進む。
【０１０８】
ステップＳ６０９では、システム制御回路５０は、メモリ３０の現像ワーク領域７０２に記録されている４枚のＲＡＷデータを記録媒体２００に書き込み、ステップＳ６１０に進む。
【０１０９】
ステップＳ６１０では、システム制御回路５０は、メモリ３０の多重露光ワーク領域７０３に記録された多重露光処理の合成データを記録媒体２００に書き込み、処理を終了する。ここでは、ＲＡＷデータが４枚、ＪＰＥＧデータが４枚、多重露光処理の合成データが１枚、合計９枚のデータが記録媒体２００に書き込まれることになる。
【０１１０】
なお、ブラケット処理においては、図８のステップＳ５０２における撮影可能枚数決定時に、多重露光ワーク領域７０３のサイズ分を除いて計算し、また、図１０のステップＳ６０４の合成処理を行わないことで実現可能である。
【０１１１】
以上説明したように、本実施形態では、複数回の撮影動作で一つの画像処理機能を実現する多重露光処理やブラケット処理において、予めメモリ３０の容量と画像データの処理に必要なメモリ３０の容量とから撮影可能枚数を算出して撮影回数を制限している。これにより、メモリ容量の少ないデジタルカメラや、高画素のため画像データが大容量になるデジタルカメラにおいても、操作性を損なうことなく、ダイレクトボタン１１５の操作で画像データの記録画質に関する機能設定を行うことができる。その他の構成及び作用効果は、上記第１の実施形態と同様である。
【０１１２】
なお、本発明は、上記各実施形態に例示したものに限定されるものではなく、本発明の要旨を逸脱しない範囲において適宜変更可能である。例えば、本実施形態では、ＪＰＥＧ形式の記録を設定した撮影中にＲＡＷ形式の記録を指示している。しかし、これに限らず、ＲＡＷ形式での記録を設定した撮影中にＪＰＥＧ形式の記録が指示されてもよい。この場合、本実施形態におけるＲＡＷ形式とＪＰＥＧ形式の画像が逆になるだけである。
【０１１３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。ネットワーク又は各種記憶媒体を介して取得したソフトウェア（プログラム）をパーソナルコンピュータ（ＣＰＵ，プロセッサ）にて実行することでも実現できる。
【符号の説明】
【０１１４】
２１  ダイレクト操作部
２２  メモリ制御回路
５１  現像制御回路
５０  システム制御回路
５３  撮影回数制御回路
１００  カメラ本体
１１５  ダイレクトボタン
【図１】
2012124827.tif 000003
【図２】
2012124827.tif 000004
【図３】
2012124827.tif 000005
【図４】
2012124827.tif 000006
【図５】
2012124827.tif 000007
【図６】
2012124827.tif 000008
【図７】
2012124827.tif 000009
【図８】
2012124827.tif 000010
【図９】
2012124827.tif 000011
【図１０】
2012124827.tif 000012